【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  下記の工程を含む繊維性ウェッブに化学添加剤を付与する方法：
（ａ）第一の面および前記第一の面と背中合わせの第二の面を有する繊維性ウェッブを準備する工程と；
（ｂ）化学添加剤を準備する工程と；
（ｃ）前記化学添加剤を前記繊維性ウェッブの前記第一の面にのみ付着させる工程と；
（ｄ）前記繊維性ウェッブの前記第一の面を前記繊維性ウェッブの前記第二の面と接触させることによって、前記繊維性ウェッブの前記第一の面および前記第二の面の両方が機能的に十分な量の前記化学添加剤を含むように、前記繊維性ウェッブの前記第一の面から前記第二の面に前記化学添加剤を部分的に転移する工程と。
【請求項２】  前記繊維性ウェッブの前記第一の面にのみ前記化学添加剤を付着させる前記工程（ｃ）が、押出し塗工、噴霧塗工、転写塗工またはそれらの組み合わせによって前記化学添加剤を付着させることを含む、請求項１に記載の方法。
【請求項３】  前記工程（ｄ）が、前記繊維性ウェッブの前記第一の面上の第一の位置から前記繊維性ウェッブの前記第二の面上の第二の位置へ前記化学添加剤を転移することを含み、前記第二の位置が、前記繊維性ウェッブの平面に対して前記第一の位置から、好ましくは抄紙方向に、喰違っている、請求項１および２のいずれか１項に記載の方法。
【請求項４】  前記繊維性ウェッブを抄紙方向に連続的に移動させる工程を含み、ここで前記工程（ｄ）が、前記繊維性ウェッブを連続的にロールに巻き上げることを含む、請求項１、２、および３のいずれか１項に記載の方法。
【請求項５】  前記工程（ｄ）で、前記繊維性ウェッブの前記第一の面から前記繊維性ウェッブの前記第二の面に転移される前記化学添加剤の量が、前記第二の面の前記化学添加剤の表面濃度ＳＣ２対前記第一の面の前記化学添加剤の表面濃度ＳＣ１の比Ｒとして少なくとも１：４、好ましくは少なくとも１：２、より好ましくは１：１であるような量である、請求項１、２、３、および４のいずれか１項に記載の方法。
【請求項６】  前記工程（ｂ）で、前記化学添加剤が、柔軟剤、エマルジョン、皮膚軟化剤、ローション、局所用医薬、石鹸、抗微生物剤および抗菌剤、保湿剤、被覆剤、インクおよび染料、強度向上剤、吸収性向上剤、結合剤、不透明化剤、填料、およびそれらの組み合わせからなる群から選ばれ、好ましくは前記化学添加剤が、潤滑剤、可塑剤、陽イオン性結合抑制剤、非陽イオン性結合抑制剤およびそれらの混合物からなる群から選ばれる化学柔軟化剤である、請求項１、２、３、４、および５のいずれか１項に記載の方法。
【請求項７】  前記工程（ｄ）で、前記化学添加剤の前記機能的に十分な量が、少なくとも９．０７２ｋｇ／トン、好ましくは少なくとも２２．６８ｋｇ／トン、より好ましくは少なくとも４０．８２ｋｇ／トンである、請求項１、２、３、４、５、および６のいずれか１項に記載の方法。
【請求項８】  前記ウェッブの前記第一の面に付着させた前記化学添加剤を転移可能な状態に維持する工程を含み、前記工程が、開放時間対滴下物吸収時間の比として好ましくは３．０未満、より好ましくは１．０未満、もっとも好ましくは０．５未満を提供することを含む、請求項１、２、３、４、５、６、および７のいずれか１項に記載の方法。
【請求項９】  前記工程（ａ）で、前記繊維性ウェッブの前記第一の面が、好ましくは第一の領域および第二の領域を含み、前記第一の領域が、前記第二の領域より隆起し、さらに好ましくは前記繊維性ウェッブが、高密度パターン構造を含み、前記第一の領域が、第一の密度を有し、前記第二の領域が、前記第一の密度とは異なる第二の密度を有する、請求項１、２、３、４、５、６、７、および８のいずれか１項に記載の方法。
【請求項１０】  前記化学添加剤が、潤滑剤、可塑剤、陽イオン性結合抑制剤、非陽イオン性結合抑制剤およびそれらの混合物からなる群から選ばれる柔軟化組成物を含み、前記柔軟化組成物が、前記ウェッブ１平方メートル当りに前記柔軟化組成物として少なくとも０．０５グラムの量で前記繊維性ウェッブの前記第一の面にのみ付着され、好ましくは前記柔軟化組成物が、前記繊維性ウェッブの前記第一の面の前記第一の領域に非圧縮的に付着される、請求項１、２、３、４、５、６、７、８、および９のいずれか１項に記載の方法。
【手続補正２】
【補正対象書類名】明細書
【補正対象項目名】０００１
【補正方法】変更
【補正の内容】
【０００１】
技術分野
本発明は一般にウェッブ基材（例えばティッシュ・ペーパー）に関し、さらに前記ウェッブ基材を製造する方法に関する。より具体的には、本発明は、機能的化学添加剤を有するウェッブ基材に関し、さらにウェッブの特性、例えば強度、柔軟度、吸収性および審美性を強化するために前記ウエッブの表面に低レベルの機能的化学添加剤を付与（以下、適用ともいう。）する方法および装置に関する。
【手続補正３】
【補正対象書類名】明細書
【補正対象項目名】００１９
【補正方法】変更
【補正の内容】
【００１９】
本方法は以下の工程を含む：第一の面および第一の面と背中合わせの第二の面をもつ繊維性ウェッブを準備する工程と；化学添加剤を準備する工程と；繊維性ウェッブの第一の面にのみ化学添加剤を付着させる工程と；繊維性ウェッブの第一の面を繊維性ウェッブの第二の面と接触させることによって、繊維性ウェッブの第一の面および第二の面の両方が機能的に十分な量の化学添加剤を含むように、繊維性ウェッブの第一の面から第二の面に化学添加剤を部分的に転移する工程と。本明細書で用いられるように、機能的に十分な量とは、好ましくはウェッブの１平方メートル当たり少なくとも０．０５グラムの添加剤である。表面濃度でいえば、機能的に十分な量とは、好ましくは少なくとも表面繊維１トン当たり９．０７２ｋｇ（２０ｌｂ／ｔｏｎ）の添加剤、より好ましくは少なくとも２２．６８ｋｇ（５０／ｔｏｎ）、もっとも好ましくは４０．８２４ｋｇ（９０ｌｂ／ｔｏｎ）の添加剤である。
【手続補正４】
【補正対象書類名】明細書
【補正対象項目名】００２０
【補正方法】変更
【補正の内容】
【００２０】
好ましくは、繊維性ウェッブの第一の面を繊維性ウェッブの第二の面と接触させる工程は、化学添加剤を繊維性ウェッブの第一の面の第一の位置から繊維性ウェッブの第二の面の第二の位置へ移すことを含み、前記第二の位置はウェッブの平面に対して第一の位置から喰違っている。本方法の好ましい実施例では、ウェッブは抄紙（以下、流れともいう。）方向に連続的（以下、継続的ともいう。）に移動し、そのような事例では繊維性ウェッブの第二の面の第二の位置は、繊維性ウェッブの第一の面の第一の位置から流れ方向に喰違っている。
【手続補正５】
【補正対象書類名】明細書
【補正対象項目名】００４６
【補正方法】変更
【補正の内容】
【００４６】
ある実施例（図４）では、実質的に連続している樹脂製枠組み８１は、複数の偏向用導管（以下、偏向導管ともいう。）８２を全体に有している。別の実施例（図５）では、樹脂製枠組みは、補強構造体８５から外側に広がる別々に分離した隆起部を含む。前記隆起部は、抄紙ベルトの平面（Ｘ−Ｙ）から直立して、好ましくは別々に分離している。隆起部は抄紙ベルトの選択した領域を通る排水を遮断し、ペーパー内にそれぞれ低坪量および高坪量を形成することができる。所望の場合は、各隆起部は偏向導管８２を全体に有することができる。実施例の１つ（図示されていない）では、実質的に連続した樹脂製枠組みおよび複数の別々に分離した隆起を含むことが意図されている。
【手続補正６】
【補正対象書類名】明細書
【補正対象項目名】００８３
【補正方法】変更
【補正の内容】
【００８３】
構成成分：
柔軟化活性成分：
以下の式をもつ第四化合物が本発明で使用するために適している：
（Ｒ1）4-m−Ｎ+−［Ｒ2］mＸ-
式中、ｍは１から３で；
各Ｒ1はＣ1−Ｃ6アルキル基、ヒドロキシアルキル基、ヒドロカルビルまたは置換ヒドロカルビル基、アルコキシル化基、ベンジル基またはそれらの混合基で；
各Ｒ2はＣ14−Ｃ22アルキル基、ヒドロキシアルキル基、ヒドロカルビルまたは置換ヒドロカルビル基、アルコキシル化基、ベンジル基またはそれらの混合基で；さらに、
Ｘ-は任意の柔軟剤適合陰イオンである。
【手続補正７】
【補正対象書類名】明細書
【補正対象項目名】０１４８
【補正方法】変更
【補正の内容】
【０１４８】
図１−３に示すように、本方法の第一の工程は上記のように繊維性ウェッブ５０を準備（以下、提供ともいう。）することを含む。ウェッブ５０は第一の面５１および第一の面５１と背中合わせの第二の面５２をもつ。ウェッブ５０は多プライ構造体、例えば２プライ構造体からなることができることは理解されよう。前記の事例では、第一の面５１は複数プライのうちの１方のプライに属し、第二の面５２は他方のプライに属する。機能的化学添加剤（または“化学添加剤”または単に“添加剤”）４０もまた前述のように提供される。好ましくは化学添加剤は、柔軟化剤、エマルジョン、皮膚軟化剤、ローション、局所用医薬、石鹸、抗微生物および抗菌剤、保湿剤、被覆剤、インクおよび染料、強度向上剤、吸収性向上剤、結合剤、不透明化剤、填料、およびそれらの混合物からなる群から選ばれる。
【手続補正８】
【補正対象書類名】明細書
【補正対象項目名】０１７４
【補正方法】変更
【補正の内容】
【０１７４】
具体例
具体例１
具体例１では、本発明の少なくとも１つの実施例を提示するティッシュ・ペーパーの製造方法を述べる。本具体例は、好ましい柔軟化組成物を供給される多層抄紙ティッシュ・ペーパー・ウェッブの製造、および前記ウェッブを製造する本発明の好ましい適用方法を提供する。それぞれの適用方法によって組成物をウェッブの一方の面に適用し、続いてこのウェッブを巻き上げて親ロールを形成する。接触に際して、柔軟化組成物はウェッブの一方の面から他方の面に機能的に十分な量で移しかえられる。
【手続補正９】
【補正対象書類名】明細書
【補正対象項目名】０１９７
【補正方法】変更
【補正の内容】
【０１９７】
具体例２
具体例２では、本発明の少なくとも１つの実施例を提示するティッシュ・ペーパーの製造方法を述べる。本具体例は、好ましい柔軟化組成物を供給される多層抄紙ティッシュ・ペーパー・ウェッブの製造、および前記ウェッブを製造する本発明の好ましい適用方法を提供する。それぞれの適用方法によって組成物をウェッブの一方の面に適用し、続いてこのウェッブを巻き上げて親ロールを形成する。